(57)【要約】      （修正有）【課題】短い時間で出金処理を行い、かつ、装置の大きさを大きくすることなく正確な金種別カセットに紙幣を戻すこと。【解決手段】紙幣入出金装置は、紙幣を金種別に収納する金種別収納庫６０ａ，６０ｂ，６０ｃと、出金時に繰り出された紙幣を搬送する搬送機構１５と、搬送機構１５に設けられ、繰り出された紙幣が所定の要件を満たすかを識別する識別部２５と、を備えている。搬送機構１５には、出金時の一部の紙幣を、一時的に収納するテープリール式収納庫１０が連結されている。紙幣入出金装置は、出金された紙幣のうち、識別部２５で所定の要件を満たさないと判断された紙幣および搬送機構１５による搬送で異常があると判断された紙幣をテープリール式収納庫１０に収納させるとともに、当該紙幣を搬送機構１５を介して金種別収納庫６０ａ，６０ｂ，６０ｃへ戻すよう制御する制御部５０も備えている。【選択図】図１
2010020720.tif 000002
【特許請求の範囲】
【請求項１】
紙幣を金種別に収納する金種別収納庫と、
前記金種別収納庫に連結され、出金時に、該金種別収納庫から繰り出された紙幣を搬送する搬送機構と、
前記搬送機構に設けられ、前記金種別収納庫から繰り出された紙幣が所定の要件を満たすかを識別する識別部と、
前記搬送機構に連結され、出金時の一部の紙幣を、一時的に収納するテープリール式収納庫と、
前記金種別収納庫から出金された紙幣のうち、前記識別部で所定の要件を満たさないと判断された紙幣および前記搬送機構による搬送で異常があると判断された紙幣を前記テープリール式収納庫に収納させるとともに、当該紙幣を前記搬送機構を介して前記金種別収納庫へ戻すよう制御する制御部と、
を備えたことを特徴とする紙幣入出金装置。
【請求項２】
前記制御部は、出金時に異常があると判断された紙幣を前記テープリール式収納庫に収納させるときに、異なる金種からなる紙幣の間隔を、同じ金種からなる紙幣の間隔よりも広くして収納させることを特徴とする請求項１に記載の紙幣入出金装置。
【請求項３】
前記制御部は、出金時に連鎖異常があると判断されて前記テープリール式収納庫に収納された紙幣を、各紙幣の間隔が離されるようにして、該テープリール式収納庫から前記搬送機構へ繰り出させることを特徴とする請求項１に記載の紙幣入出金装置。
【請求項４】
前記制御部は、出金時に連鎖異常があると判断された紙幣を、各紙幣の間隔が離されるようにして、前記テープリール式収納庫内へ繰り入れさせることを特徴とする請求項１に記載の紙幣入出金装置。
【請求項５】
出金時に異常があると判断された紙幣を集積する出金リジェクト部をさらに備え、
前記搬送機構は、前記識別部によって所定回数以上異常があると判断された紙幣を、前記出金リジェクト部へ搬送することを特徴とする請求項１に記載の紙幣入出金装置。
【請求項６】
前記搬送機構に連結され、紙幣を受け付ける受入部をさらに備え、
前記テープリール式収納庫は、前記受入部に受け付けられた紙幣を一時的に保留する入金保留部としても機能することを特徴とする請求項１に記載の紙幣入出金装置。
【請求項７】
前記搬送機構に連結され、紙幣を受け付ける受入部をさらに備え、
前記テープリール式収納庫は、前記受入部に受け付けられた紙幣を、前記識別部による識別を行うことなく強制的に収納する強制入金収納部としても機能することを特徴とする請求項１に記載の紙幣入出金装置。
【発明の詳細な説明】
【技術分野】
【０００１】
本発明は、紙幣の入金処理および出金処理を行うための紙幣入出金装置に関する。
【背景技術】
【０００２】
従来、金種別に紙幣を収納した金種別カセット（金種別収納庫）内から紙幣を繰り出して鑑別部（識別部）で鑑別し、正常と鑑別された紙幣を接客部から支払う紙幣処理装置（紙幣入出金装置）において、出金取引時の紙幣を搬送方向における鑑別部の下流側に紙幣を一時保留する一時保留部を配置し、出金取引時に鑑別部でリジェクト紙幣と鑑別された紙幣を一時保留部に集積して保留し、出金する分の正常な紙幣を接客部に集積した後、一時保留部から紙幣を繰り出して金種別カセットに収納することを特徴とする紙幣処理装置が知られている（特許文献１参照）。
【特許文献１】特開２００５−３４６５０５号公報
【発明の開示】
【発明が解決しようとする課題】
【０００３】
しかしながら、特許文献１に記載された紙幣処理装置では、「接客部１の紙幣保持部材
２に指定枚数の万円紙幣が集積されると、一時保留部５に万円のリジェクト紙幣が存在しない場合、指定された金種に千円紙幣があれば、千円紙幣の繰り出しに移るが、一時保留部５に万円のリジェクト紙幣が存在する場合、図３に示したように一時保留部５から繰り出し手段によりリジェクト紙幣が１枚づつ分離して繰り出される」と記載されているように、出金する金種が複数の金種にまたがるときには、１金種毎に出金しており、出金処理する時間が長時間になってしまう。また、このような事態を避けるために、一時保留部を金種分設けることも考えられるが、紙幣入出金装置の大きさが大きくなってしまう。
【０００４】
本発明は、このような点を考慮してなされたものであり、短い時間で出金処理を行うことができ、かつ、大きさを大きくすることなく正確な金種別カセットに紙幣を戻すことができる紙幣入出金装置を提供することを目的とする。
【課題を解決するための手段】
【０００５】
本発明による紙幣入出金装置は、
紙幣を金種別に収納する金種別収納庫と、
前記金種別収納庫に連結され、出金時に、該金種別収納庫から繰り出された紙幣を搬送する搬送機構と、
前記搬送機構に設けられ、前記金種別収納庫から繰り出された紙幣が所定の要件を満たすかを識別する識別部と、
前記搬送機構に連結され、出金時の一部の紙幣を、一時的に収納するテープリール式収納庫と、
前記金種別収納庫から出金された紙幣のうち、前記識別部で所定の要件を満たさないと判断された紙幣および前記搬送機構による搬送で異常があると判断された紙幣を前記テープリール式収納庫に収納させるとともに、当該紙幣を前記搬送機構を介して前記金種別収納庫へ戻すよう制御する制御部と、
を備えている。
【０００６】
本発明による紙幣入出金装置において、
前記制御部は、出金時に異常があると判断された紙幣を前記テープリール式収納庫に収納させるときに、異なる金種からなる紙幣の間隔を、同じ金種からなる紙幣の間隔よりも広くして収納させることが好ましい。
【０００７】
本発明による紙幣入出金装置において、
前記制御部は、出金時に連鎖異常があると判断されて前記テープリール式収納庫に収納された紙幣を、各紙幣の間隔が離されるようにして、該テープリール式収納庫から前記搬送機構へ繰り出させることが好ましい。
【０００８】
本発明による紙幣入出金装置において、
前記制御部は、出金時に連鎖異常があると判断された紙幣を、各紙幣の間隔が離されるようにして、前記テープリール式収納庫内へ繰り入れさせることが好ましい。
【０００９】
本発明による紙幣入出金装置において、
出金時に異常があると判断された紙幣を集積する出金リジェクト部をさらに備え、
前記搬送機構は、前記識別部によって所定回数以上異常があると判断された紙幣を、前記出金リジェクト部へ搬送することが好ましい。
【００１０】
本発明による紙幣入出金装置において、
前記搬送機構に連結され、紙幣を受け付ける受入部をさらに備え、
前記テープリール式収納庫は、前記受入部に受け付けられた紙幣を一時的に保留する入金保留部としても機能することが好ましい。
【００１１】
本発明による紙幣入出金装置において、
前記搬送機構に連結され、紙幣を受け付ける受入部をさらに備え、
前記テープリール式収納庫は、前記受入部に受け付けられた紙幣を、前記識別部による識別を行うことなく強制的に収納する強制入金収納部としても機能することが好ましい。
【発明の効果】
【００１２】
本発明によれば、出金時に異常と判断された紙幣をテープリール式収納庫に一時的に収納するので、金種別収納庫に紙幣を戻すときに、正確な順番で戻すことができる。このため、複数の金種を出金する場合であっても金種毎に処理を分けることなく、連続的に出金処理を行うことができ、短い時間で出金処理を行うことができる。また、金種分の一時保留部を設けることなく、一つのテープリール式収納庫によって金種別収納庫に正確な順番で紙幣を戻すことができるので、紙幣入出金装置の大きさを大きくする必要もない。
【発明を実施するための形態】
【００１３】
実施の形態
以下、本発明に係る紙幣入出金装置の実施の形態について、図面を参照して説明する。ここで、図１乃至図７は本発明の実施の形態を示す図である。
【００１４】
図１に示すように、紙幣入出金装置は、紙幣を金種別に収納する金種別収納庫６０ａ，６０ｂ，６０ｃと、金種別収納庫６０ａ，６０ｂ，６０ｃに連結され、出金時に、金種別収納庫６０ａ，６０ｂ，６０ｃから繰り出された紙幣を搬送する搬送機構１５と、搬送機構１５に設けられ、金種別収納庫６０ａ，６０ｂ，６０ｃから繰り出された紙幣が所定の要件を満たすかを識別する識別部２５と、を備えている。
【００１５】
このうち、搬送機構１５は、図１に示すように、搬送路１５ａと、搬送路１５ａ内の紙幣に駆動力を付与する駆動部（図示せず）と、を有している。また、搬送路１５ａの所定の箇所には、紙幣が正常に通過したかを検知するためのセンサＳが配置されている。
【００１６】
また、金種別収納庫６０ａ，６０ｂ，６０ｃには各々異なる金種の紙幣が集積され、例えば、金種別収納庫６０ａには１，０００円紙幣が集積され、金種別収納庫６０ｂには５，０００円紙幣が集積され、金種別収納庫６０ｃには１０，０００円紙幣が集積されるようになっている。
【００１７】
また、図１に示すように、搬送路１５ａの端部には、出金時に正常であると判断された紙幣を出金する出金一時保留部３０と出金口３０ａが設けられている。また、搬送路１５ａの別の端部には、出金時に識別異常や搬送異常などの異常があると判断された紙幣を、一時的に収納するテープリール式収納庫１０が連結されている。
【００１８】
ここで、識別異常とは、識別部２５によって識別された情報が予め記憶された情報と一致しない場合のことを意味している。このような識別異常としては、例えば、識別された紙幣が予定していたのとは異なる種類の紙幣であると識別されたときや、そもそも紙幣の種類を識別することができなかったときなどを挙げることができる。
【００１９】
また、搬送異常とは、搬送機構１５によって紙幣を搬送する際の異常を意味している。このような搬送異常としては、例えば、紙幣が斜めに搬送されている場合（斜行）や、複数の紙幣が重なって搬送されている場合（重送）や、複数の紙幣が所定の間隔を隔てないで搬送されている場合（連鎖）などを挙げることができる。
【００２０】
なお、本実施の形態において、斜行および連鎖は、搬送路１５ａに設けられたセンサＳからの情報に基づいて判断され、重送は、識別部２５に設けられた厚みセンサ（図示せず）からの情報に基づいて判断される。
【００２１】
図２に示すように、テープリール式収納庫１０は、出入口２が設けられた外枠１と、外枠１内に配置された出入口ローラ３ａ，３ｂと、外枠１内に配置され、テープＴが巻き架けられた第一ローラ４ａ，４ｂと、第一ローラ４ａ，４ｂに連結された第一ギヤ１１ａ，１１ｂと、第一ギヤ１１ａ，１１ｂに係合された第二ギヤ１２と、第二ギヤ１２に連結され、テープＴが巻き架けられた第二ローラ７と、を有している。また、出入口ローラ３ａ，３ｂと第一ローラ４ａ，４ｂとの間には、テープＴを案内するアイドラ９ａ，９ｂが配置されている。
【００２２】
また、図２に示すように、第二ローラ７内には第二回転軸８が設けられ、この第二回転軸８には駆動モータ（図示せず）が連結されている。また、第一ローラ４ａ，４ｂ内には第一回転軸５ａ，５ｂが設けられている。なお、本実施の形態では、第二回転軸８が駆動モータによって回転駆動されることによって、第二ギヤ１２が回転駆動され、この第二ギヤ１２に係合している第一ギヤ１１ａ，１１ｂが回転駆動されることとなり、第一ローラ４ａ，４ｂが回転駆動されることとなる。
【００２３】
また、図２に示すように、外枠１の出入口２に対向する位置には、外枠１内に紙幣を繰り入れたり、外枠１内から紙幣を繰り出したりする搬送路１５ａの端部が位置している。この搬送路１５ａは、対向するローラ１７ａ，１７ｂと、このローラ１７ａ，１７ｂに巻き架けられたベルト１６ａ，１６ｂとを有している。
【００２４】
本実施の形態において、テープリール式収納庫１０は、複数の金種の紙幣を収納可能となっている。また、テープリール式収納庫１０は、収納した紙幣を、収納したのとは逆の順番で、搬送機構１５を介して金種別収納庫６０ａ，６０ｂ，６０ｃへ戻すように構成されている。
【００２５】
また、図１に示すように、搬送路１５ａの端部には、出金時に識別部２５によって所定回数以上異常があると判断された紙幣が搬送されて集積される出金リジェクト部３５が連結されている。なお、この出金リジェクト部３５は、出金一時保留部３０に隣接して配置されている。また、搬送路１５ａの別の端部には、金種別収納庫６０ａ，６０ｂ，６０ｃに収納された紙幣を回収する際に用いられる回収カセット４０が連結されている。
【００２６】
また、図１に示すように、搬送路１５ａの上流端部には、紙幣を受け付ける受入部２０が連結されている。なお、本実施の形態において、テープリール式収納庫１０は、受入部２０に受け付けられた紙幣を一時的に保留する入金保留部としても機能するように構成されている（図７参照）。
【００２７】
ここで、テープリール式収納庫１０は、受入部２０に受け付けられた紙幣を、識別部２５による識別を行うことなく強制的に収納する強制入金収納部としても機能するように構成されている。
【００２８】
また、図１に示すように、上述したテープリール式収納庫１０、搬送機構１５、識別部２５、金種別収納庫６０ａ，６０ｂ，６０ｃおよびセンサＳの各々は、制御部５０に接続されており、この制御部５０からの信号を受けて制御される。なお、この制御部５０は、金種別収納庫６０ａ，６０ｂ，６０ｃから出金された紙幣のうち識別部２５（または制御部５０）で所定の要件を満たさず異常であると判断された紙幣をテープリール式収納庫１０に収納させるとともに、当該紙幣を搬送機構１５を介して金種別収納庫６０ａ，６０ｂ，６０ｃへ戻すよう、テープリール式収納庫１０、搬送機構１５および金種別収納庫６０ａ，６０ｂ，６０ｃ制御する。
【００２９】
次に、このような構成からなる本実施の形態の作用効果について述べる。
【００３０】
（出金時）
最初に、図２、図３および図４を用いて、出金時における作用効果について説明する。
【００３１】
まず、金種別収納庫６０ａ，６０ｂ，６０ｃから紙幣が繰り出される。このように繰り出された紙幣は、搬送路１５ａ内を搬送されて、識別部２５に達する（図３参照）。
【００３２】
次に、識別部２５によって識別された情報が予め記憶された情報と一致するかどうかが判断される（図３参照）。そして、識別部２５において、予め記憶された情報と識別された情報とが一致した場合には、正常であると判断され、他方、予め記憶された情報と識別された情報とが一致しない場合には、識別異常であると判断される。
【００３３】
なお、識別部２５（または制御部５０）は、搬送路１５ａに設けられたセンサＳからの情報に基づいて、紙幣が斜行および連鎖を起こしていないかを判断し、識別部２５に設けられた厚みセンサ（図示せず）からの情報に基づいて、紙幣が重送していないかを判断する（図３参照）。
【００３４】
そして、正常であると判断された紙幣は、出金一時保留部３０に搬送され、この出金一時保留部３０の出金口３０ａから出金される（図３の太い実線参照）。他方、識別異常や搬送異常（斜行、連鎖または重送）などの異常があると判断された紙幣は、テープリール式収納庫１０に向かって搬送される（図３の太い破線参照）。
【００３５】
このようにテープリール式収納庫１０に向かって搬送された紙幣は、搬送路１５ａの端部に達する。搬送路１５ａの端部に達した紙幣は、上方のベルト１６ａと下方のベルト１６ｂの間で挟持され、テープリール式収納庫１０内に繰り入れられる（図２参照）。
【００３６】
なおここで、制御部５０が、金種別収納庫６０ａ，６０ｂ，６０ｃの紙幣の繰出開始タイミングと、テープリール式収納庫１０の紙幣の巻取タイミングを調整することによって、異なる金種からなる紙幣Ｐ１，Ｐ２の間隔（例えば、１０，０００円紙幣と５，０００円紙幣との間の間隔）Ｇ２を、同じ金種からなる紙幣Ｐ１の間隔（例えば、１０，０００円同士）Ｇ１よりも広くして収納させる（図４参照）。
【００３７】
このため、後述するようにテープリール式収納庫１０から紙幣Ｐ１，Ｐ２を繰り出して金種別収納庫６０ａ，６０ｂ，６０ｃに戻す際に、テープリール式収納庫１０内に繰り入れられた紙幣Ｐ１，Ｐ２の順番に加え、紙幣Ｐ１，Ｐ２の間隔Ｇ１，Ｇ２も考慮することによって、各紙幣Ｐ１，Ｐ２を適切な金種別収納庫６０ａ，６０ｂ，６０ｃ内により確実に搬送させることができる（図４参照）。
【００３８】
上述のように搬送路１５ａの端部から繰り入れられた紙幣は、出入口ローラ３ａ，３ｂに巻き架けられたテープＴ間に挟持され、第二ローラ７に向かって取り込まれていく（図２参照）。このとき、駆動モータ（図示せず）によって第二ローラ７が反時計回り方向に回転され、第一ローラ４ａ，４ｂが時計回り方向に回転される（図２参照）。
【００３９】
（戻し時）
次に、図２、図５および図６（ａ）（ｂ）を用いて、テープリール式収納庫１０内に繰り入れられた紙幣を、金種別収納庫６０ａ，６０ｂ，６０ｃに戻す時における作用効果について説明する。
【００４０】
まず、駆動モータ（図示せず）によって第二ローラ７が時計回り方向に回転され、第一ローラ４ａ，４ｂが反時計回り方向に回転される（図２参照）。このため、テープＴ間に挟持された紙幣が、収納されたのとは逆の順番で、出入口２から搬送路１５ａの端部に繰り出される。
【００４１】
次に、出入口２から繰り出された紙幣は、上方のベルト１６ａと下方のベルト１６ｂの間で挟持され、搬送路１５ａ内に繰り出される（図２参照）。このとき、出金時に連鎖異常があると判断されて収納された紙幣は、第一ローラ４ａ，４ｂと第二ローラ７の回転を一時的に停止させることによって、各紙幣の間隔が離されるようにして搬送路１５ａへ繰り出される。
【００４２】
より具体的には、連鎖状態でテープリール式収納庫１０内に収納された紙幣Ｐは、戻し時においても、図６（ａ）に示すように連鎖状態となっている。この点、本実施の形態では、連鎖状態となった紙幣Ｐが出入口２に達した時点で、第一ローラ４ａ，４ｂと第二ローラ７の回転が停止されて出入口ローラ３ａ，３ｂは駆動されないこととなり、搬送路１５ａのベルト１６ａ，１６ｂのみが駆動される。このため、連鎖状態となっている各紙幣Ｐの間隔を離すようにして、搬送路１５ａへ繰り出すことができる（図６（ｂ）参照）。
【００４３】
この結果、後述するように紙幣Ｐが金種別収納庫６０ａ，６０ｂ，６０ｃに達して、当該金種別収納庫６０ａ，６０ｂ，６０ｃ内に収納されるときに、ジャムなどが生じることを防止することができる。より具体的には、金種別収納庫６０ａ，６０ｂ，６０ｃでは、金種別収納庫６０ａ，６０ｂ，６０ｃ内に配置された左右移動部（図示せず）が左右運動することによって、一枚ずつ紙幣が収納されるように構成されている。ここで、紙幣が連鎖状態で金種別収納庫６０ａ，６０ｂ，６０ｃに達したときには、紙幣間のわずかな間隙から紙幣の繰り入れが終了したと判断されて、左右移動部が左右運動を行ってしまう。このため、後方に位置する紙幣がこの左右移動部と金種別収納庫６０ａ，６０ｂ，６０ｃの内壁との間に挟まってしまうことなどが原因でジャムが生じる。この点、本実施の形態によれば、搬送路１５ａへ繰り出すときに連鎖状態が解消されるので、金種別収納庫６０ａ，６０ｂ，６０ｃ内でジャムが発生することを確実に防止することができる。
【００４４】
なお、テープリール式収納庫１０から繰り出されるときではなく、テープリール式収納庫１０内に繰り入れられるときに、紙幣の連鎖状態が解消されてもよい。具体的には、金種別収納庫６０ａ，６０ｂ，６０ｃから紙幣を出金する時に、金種別収納庫６０ａ，６０ｂ，６０ｃ近傍にあるセンサＳからの情報で、制御部５０が連鎖であると判断した場合には、連鎖状態となっている各紙幣の間隔を離すように、制御部５０が金種別収納庫６０ａ，６０ｂ，６０ｃの駆動を制御すればよい。
【００４５】
上述のように搬送路１５ａへ繰り出された紙幣は、識別部２５によって識別されることなく（識別部２５を通過することもなく）、金種別収納庫６０ａ，６０ｂ，６０ｃ内に収納される（図５参照）。
【００４６】
以上のように、本実施の形態によれば、複数の金種を出金する場合であっても、金種毎に処理を分けることなく連続して、正常と判断された紙幣は出金一時保留部３０へと搬送され、他方、異常と判断された紙幣はテープリール式収納庫１０へと搬送される。このため、短い時間で出金処理を行うことができる。
【００４７】
すなわち、特許文献１に記載された従来技術によれば、一時保留部に紙幣を収納するときに、紙幣がめくりあがることなどが原因で紙幣の順番が入れ替わってしまうおそれがある。このため、各金種別収納庫に適切な金種を確実に戻すために、出金する金種が複数の金種にまたがるときには、１金種毎に出金処理を行っている。この結果、出金処理する時間が長時間になってしまう。
【００４８】
これに対して、本実施の形態によれば、出金時に異常と判断された紙幣をテープリール式収納庫１０に一時的に収納するので、金種別収納庫６０ａ，６０ｂ，６０ｃに紙幣を戻すときに、正確な順番（収納されたのとは逆の順番）で戻すことができる。このため、複数の金種を出金する場合であっても、金種毎に処理を分けることなく、連続的に出金処理を行うことができ、短い時間で出金処理を行うことができる。
【００４９】
また、上述のように、一つのテープリール式収納庫１０によって、金種別収納庫６０ａ，６０ｂ，６０ｃに正確な順番で紙幣を戻すことができるので、金種分の一時保留部を設ける必要もない。このため、紙幣入出金装置の大きさを大きくする必要がなく、小さいままで維持することができる。
【００５０】
ところで、上述のようにして金種別収納庫６０ａ，６０ｂ，６０ｃに戻された紙幣は、次回以降の出金に用いられることとなるが、戻された紙幣が識別部２５によって所定回数（例えば２回）以上異常があると判断された場合には、制御部５０によって紙幣に問題があるものと判断され、出金リジェクト部３５に搬送される（図３の細い破線参照）。
【００５１】
例えば、所定回数を２回とした場合を考えると、まず、ある紙幣が、識別部２５によって異常があると判断されてテープリール式収納庫１０で一時的に収納された後、金種別収納庫６０ａ，６０ｂ，６０ｃに収納される。そして、次の出金時に、当該紙幣が識別部２５によって再度異常があると判断された場合には、この紙幣は、テープリール式収納庫１０ではなく出金リジェクト部３５へと搬送されることとなる（図３参照）。
【００５２】
このため、汚損など紙幣自体に問題がある場合には、当該紙幣を出金リジェクト部３５へ搬送して紙幣入出金装置内から除去することができるので、識別部２５によって無駄な識別をして、処理時間が長くなることを防止することができる。なお、金種別収納庫６０ａ，６０ｂ，６０ｃから繰り出される紙幣が、既に異常があると判断された紙幣であるかは、金種別収納庫６０ａ，６０ｂ，６０ｃ内に繰り入れられた紙幣の順番と金種別収納庫６０ａ，６０ｂ，６０ｃから繰り出される紙幣の順番とを、照らし合わせることによって判断される。
【００５３】
ところで、本実施の形態では、テープリール式収納庫１０が、受入部２０に受け付けられた紙幣を一時的に保留する入金保留部としても機能するように構成されており、受入部２０に受け付けられた紙幣は、識別部２５を経て、テープリール式収納庫１０内に収納される（図７の実線参照）。
【００５４】
そして、入金確定ボタン（図示せず）が押下されると、テープリール式収納庫１０内に収納された紙幣は金種別収納庫６０ａ，６０ｂ，６０ｃに搬送され、金種別に収納される。他方、入金返却ボタン（図示せず）が押下されると、テープリール式収納庫１０内に収納された紙幣は出金一時保留部３０へと搬送され、出金口３０ａから返却される。
【００５５】
ここで、テープリール式収納庫１０は、受入部２０に受け付けられた紙幣を、識別部２５による識別を行うことなく強制的に収納することもできる（強制入金収納部として機能させることもできる）。
【００５６】
すなわち、受入部２０から入金された紙幣のうち、識別部２５によって異常があるとされた紙幣は、テープリール式収納庫１０内へ搬送されずに出金一時保留部３０へ搬送され、出金口３０ａから排出される（図７の破線参照）。そして、操作者は、このように出金一時保留部３０へ搬送され、出金口３０ａから排出された紙幣を、テープリール式収納庫１０内に収納された紙幣が金種別収納庫６０ａ，６０ｂ，６０ｃ内に収納された後で、強制入金モードのもと（操作者が紙幣入出金装置の強制入金ボタン（図示せず）を押下することによって、当該強制入金モードとなる）、受入部２０から再度入金することができる。その後、受入部２０から再度入金された紙幣は、識別部２５によって識別されることなく、テープリール式収納庫１０内に強制的に収納されることとなる。
【００５７】
このとき、制御部５０は、強制入金ボタンを押下した担当者と、強制入金ボタンを押下した日時などを記憶するようになっている。このため、テープリール式収納庫１０内に収納された紙幣の順番と、強制入金ボタンを押下した担当者とを確実に紐付けすることができ、紙幣が強制的に入金された場合であっても、紙幣の管理を確実に行うことができる。
【図面の簡単な説明】
【００５８】
【図１】本発明の実施の形態による紙幣入出金装置の構成を示す概略図。
【図２】本発明の実施の形態による紙幣入出金装置のテープリール式収納庫および搬送路の端部の構成を示す概略図。
【図３】本発明の実施の形態による紙幣入出金装置における出金時の紙幣の流れを示す概略図。
【図４】本発明の実施の形態による紙幣入出金装置において、異なる金種からなる紙幣の間隔を、同じ金種からなる紙幣の間隔よりも広くして収納させる態様を示す概略図。
【図５】本発明の実施の形態による紙幣入出金装置における戻し時の紙幣の流れを示す概略図。
【図６】本発明の実施の形態による紙幣入出金装置において、出金時に連鎖異常があると判断されて収納された紙幣を、各紙幣の間隔が離されるようにして搬送機構へ繰り出す態様を示す概略図。
【図７】本発明の実施の形態による紙幣入出金装置における入金時の紙幣の流れを示す概略図。
【符号の説明】
【００５９】
１０    テープリール式収納庫
１５    搬送機構
１５ａ  搬送路
２０    受入部
２５    識別部
３０    出金一時保留部
３５    出金リジェクト部
４０    回収部
５０    制御部
６０ａ，６０ｂ，６０ｃ  金種別収納庫
Ｓ      センサ
Ｐ，Ｐ１，Ｐ２  紙幣
【図１】
2010020720.tif 000003
【図２】
2010020720.tif 000004
【図３】
2010020720.tif 000005
【図４】
2010020720.tif 000006
【図５】
2010020720.tif 000007
【図６】
2010020720.tif 000008
【図７】
2010020720.tif 000009